(57)【特許請求の範囲】
【請求項１】
インタリーブ分割多元接続方式（ＩＤＭＡ：Interleave  Division  Multiple  Access）を用いる無線通信システムの無線通信装置と通信する通信部と、
前記無線通信装置がＩＤＭＡのために利用するインタリーバのインタリーバタイプの割り当てを行う際に、管理エリアを設定し、設定した前記管理エリアに属する前記無線通信装置には、同一の前記インタリーバタイプを優先的に割り当てる制御部と、
を備える通信制御装置。
【請求項２】
前記通信部は、前記制御部により割り当てられた前記インタリーバタイプを示す情報を含むメッセージを、前記無線通信装置へ送信する、請求項１に記載の通信制御装置。
【請求項３】
前記メッセージは、ＳＩＢ（System  Information  Block）又はＤＣＩ（Downlink  Control  Information）を用いて送信される、請求項２に記載の通信制御装置。
【請求項４】
前記制御部は、前記無線通信装置に関する属性情報に基づいて、前記インタリーバタイプの割り当てを行う、請求項１に記載の通信制御装置。
【請求項５】
前記制御部は、前記無線通信装置に関する通信状態に基づいて、前記インタリーバタイプの割り当てを行う、請求項１に記載の通信制御装置。
【請求項６】
前記制御部は、前記無線通信装置がＩＤＭＡのために利用するインタリーブパターンの割り当てを行う、請求項１に記載の通信制御装置。
【請求項７】
前記制御部は、同一の前記インタリーバタイプを割り当てられた前記無線通信装置に、それぞれ異なる前記インタリーブパターンを割り当てる、請求項６に記載の通信制御装置。
【請求項８】
前記通信部は、前記制御部により割り当てられた前記インタリーブパターンを示す情報を含むメッセージを、前記無線通信装置へ送信する、請求項６に記載の通信制御装置。
【請求項９】
前記インタリーブパターンを示す情報は、前記制御部が前記インタリーブパターンの割り当てに用いたパラメータである、請求項８に記載の通信制御装置。
【請求項１０】
基地局との間でＩＤＭＡを用いて無線通信を行う無線通信部と、
前記基地局において、管理エリアが設定され、設定された前記管理エリアに属する無線通信装置には、同一のインタリーバタイプが優先的に割り当てられる制御により割り当てられたインタリーバタイプのインタリーバを利用してＩＤＭＡのためのインタリーブ処理を行うよう前記無線通信部を制御する制御部と、
を備える無線通信装置。
【請求項１１】
前記無線通信部は、前記インタリーバタイプの割り当てを要求するメッセージを前記基地局へ送信する、請求項１０に記載の無線通信装置。
【請求項１２】
前記制御部は、割り当てられたインタリーブパターンを利用してＩＤＭＡのためのインタリーブ処理を行うよう前記無線通信部を制御する、請求項１０に記載の無線通信装置。
【請求項１３】
前記制御部は、前記無線通信部によるインタリーブ処理に利用するインタリーブパターンを選択する、請求項１０に記載の無線通信装置。
【請求項１４】
前記制御部は、選択した前記インタリーブパターンを示す情報を含むメッセージを、前記基地局へ送信するよう前記無線通信部を制御する、請求項１３に記載の無線通信装置。
【請求項１５】
前記メッセージは、ＵＣＩ（Uplink  Control  Information）に含まれる、請求項１４に記載の無線通信装置。
【請求項１６】
インタリーブ分割多元接続方式を用いる無線通信システムの無線通信装置と通信することと、
前記無線通信装置がＩＤＭＡのために利用するインタリーバのインタリーバタイプの割り当てを行う際に、管理エリアを設定し、設定した前記管理エリアに属する前記無線通信装置には、同一の前記インタリーバタイプを優先的に割り当てることをプロセッサにより行うことと、
を含む通信制御方法。
【請求項１７】
基地局との間でＩＤＭＡを用いて無線通信を行うことと、
前記基地局において、管理エリアが設定され、設定された前記管理エリアに属する無線通信装置には、同一のインタリーバタイプが優先的に割り当てられる制御により割り当てられたインタリーバタイプのインタリーバを利用してＩＤＭＡのためのインタリーブ処理を行うようプロセッサにより制御することと、
を含む無線通信方法。
【請求項１８】
コンピュータを、
インタリーブ分割多元接続方式を用いる無線通信システムの無線通信装置と通信する通信部と、
前記無線通信装置がＩＤＭＡのために利用するインタリーバのインタリーバタイプの割り当てを行う際に、管理エリアを設定し、設定した前記管理エリアに属する前記無線通信装置には、同一の前記インタリーバタイプを優先的に割り当てる制御部と、
として機能させるためのプログラム。
【請求項１９】
コンピュータを、
基地局との間でＩＤＭＡを用いて無線通信を行う無線通信部と、
前記基地局において、管理エリアが設定され、設定された前記管理エリアに属する無線通信装置には、同一のインタリーバタイプが優先的に割り当てられる制御により割り当てられたインタリーバタイプのインタリーバを利用してＩＤＭＡのためのインタリーブ処理を行うよう前記無線通信部を制御する制御部と、
として機能させるためのプログラム。
【発明の詳細な説明】
【技術分野】
【０００１】
本開示は、通信制御装置、無線通信装置、通信制御方法、無線通信方法及びプログラムに関する。
【背景技術】
【０００２】
セルラーシステムでは、ユーザの数が著しく増加している。そのため、第５世代のシステムがさらに求められている。第４世代から第５世代への遷移を実現するためには、いくつかのブレークスルー（例えば、スペクトル効率及びエネルギー効率の両方の改善、並びに先進的な無線周波数ドメイン処理など）が求められる。【０００３】
スペクトル効率の改善の観点から、多元接続技術（Multiple  Access  Technology：ＭＡＴ）は、重要な要素の１つである。多元接続技術として、インタリーブ分割多元接続方式（Interleave  Division  Multiple  Access：ＩＤＭＡ）、フィルタバンクマルチキャリア方式（Filter  Bank  Multicarrier：ＦＢＭ）及び非直交多元接続方式（Non-Orthogonal  Multiple  Access：ＮＯＭＡ）などが考えられている。とりわけ、ＩＤＭＡシステムでは、インタリーバは、異なるユーザを区別し、ユーザ間の干渉を効果的に除去することができる。インタリーバのデザインは、ＩＤＭＡシステムにおいて最も重要な要素の１つであり、インタリーバの適切なデザインを実現するための技術が開発されている。【０００４】
例えば、下記特許文献１では、ユーザ間の干渉をより効果的に除去するために、インタリーブパターンの選択と共に送信電力制御を行う技術が開示されている。
【先行技術文献】
【特許文献】
【０００５】
【特許文献１】特開２０１３−１２３１５８号公報
【発明の概要】
【発明が解決しようとする課題】
【０００６】
しかし、ＩＤＭＡに関する技術分野では、さらなる性能向上が望まれている。そこで、本開示では、ＩＤＭＡに関する無線通信技術の向上に寄与することが可能な、新規かつ改良された通信制御装置、無線通信装置、通信制御方法、無線通信方法及びプログラムを提案する。
【課題を解決するための手段】
【０００７】
本開示によれば、インタリーブ分割多元接続方式を用いる無線通信システムの無線通信装置と通信する通信部と、前記無線通信装置がＩＤＭＡのために利用するインタリーバのインタリーバタイプの割り当てを行う制御部と、を備える通信制御装置が提供される。【０００８】
また、本開示によれば、基地局との間でＩＤＭＡを用いて無線通信を行う無線通信部と、割り当てられたインタリーバタイプのインタリーバを利用してＩＤＭＡのためのインタリーブ処理を行うよう前記無線通信部を制御する制御部と、を備える無線通信装置が提供される。【０００９】
また、本開示によれば、インタリーブ分割多元接続方式を用いる無線通信システムの無線通信装置と通信することと、前記無線通信装置がＩＤＭＡのために利用するインタリーバのインタリーバタイプの割り当てをプロセッサにより行うことと、を含む通信制御方法が提供される。【００１０】
また、本開示によれば、基地局との間でＩＤＭＡを用いて無線通信を行うことと、割り当てられたインタリーバタイプのインタリーバを利用してＩＤＭＡのためのインタリーブ処理を行うようプロセッサにより制御することと、を含む無線通信方法が提供される。【００１１】
また、本開示によれば、コンピュータを、インタリーブ分割多元接続方式を用いる無線通信システムの無線通信装置と通信する通信部と、前記無線通信装置がＩＤＭＡのために利用するインタリーバのインタリーバタイプの割り当てを行う制御部と、として機能させるためのプログラムが提供される。【００１２】
また、本開示によれば、コンピュータを、基地局との間でＩＤＭＡを用いて無線通信を行う無線通信部と、割り当てられたインタリーバタイプのインタリーバを利用してＩＤＭＡのためのインタリーブ処理を行うよう前記無線通信部を制御する制御部と、として機能させるためのプログラムが提供される。
【発明の効果】
【００１３】
以上説明したように本開示によれば、ＩＤＭＡに関する無線通信技術の向上に寄与することが可能である。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】ＩＤＭＡに関する技術を説明するための説明図である。
【図２】ＩＤＭＡに関する技術を説明するための説明図である。
【図３】ＩＤＭＡに関する技術を説明するための説明図である。
【図４】ＩＤＭＡに関する技術を説明するための説明図である。
【図５】本開示の一実施形態に係る無線通信システムの概要を説明するための説明図である。
【図６】アップリンク通信におけるセル間干渉の一例を説明するための説明図である。
【図７】本実施形態に係る基地局の論理的な構成の一例を示すブロック図である。
【図８】本実施形態に係る端末装置の論理的な構成の一例を示すブロック図である。
【図９】本実施形態に係る通信制御装置の論理的な構成の一例を示すブロック図である。
【図１０】本実施形態に係る動的なインタリーバタイプの割り当ての一例を説明するための説明図である。
【図１１】本実施形態に係る無線通信システムにおいて実行されるＩＤＭＡ通信処理の流れの一例を示すシーケンス図である。
【図１２】本実施形態に係る通信制御装置において実行されるインタリーバ割り当て処理の流れの一例を示すフローチャートである。
【図１３】本実施形態に係る通信制御装置において実行されるインタリーバ割り当て処理の流れの一例を示すフローチャートである。
【図１４】本実施形態に係る無線通信システムにおいて実行されるＩＤＭＡ通信処理の流れの一例を示すシーケンス図である。
【図１５】サーバの概略的な構成の一例を示すブロック図である。
【図１６】ｅＮＢの概略的な構成の第１の例を示すブロック図である。
【図１７】ｅＮＢの概略的な構成の第２の例を示すブロック図である。
【図１８】スマートフォンの概略的な構成の一例を示すブロック図である。
【図１９】カーナビゲーション装置の概略的な構成の一例を示すブロック図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ及び端末装置２００Ｂのように区別する。ただし、実質的に同一の機能構成を有する複数の要素の各々を特に区別する必要がない場合、同一符号のみを付する。例えば、端末装置２００Ａ及び端末装置２００Ｂを特に区別する必要が無い場合には、単に端末装置２００と称する。
【００１７】
なお、説明は以下の順序で行うものとする。
１．はじめに
１−１．ＩＤＭＡ
１−２．インタリーバタイプ
１−３．無線通信システムの概要
２．構成例
２−１．基地局の構成例
２−２．端末装置の構成例
２−３．通信制御装置の構成例
３．動作処理
３−１．アップリンク通信
３−２．ダウンリンク通信
４．応用例
５．まとめ
【００１８】
＜１．はじめに＞
［１−１．ＩＤＭＡ］
まず、図１〜図４を参照して、ＩＤＭＡに関する技術について説明する。図１〜図４は、ＩＤＭＡに関する技術を説明するための説明図である。
【００１９】
ＬＴＥ（Long  Term  Evolution）／ＬＴＥ−Ａ（LTE−Advanced）に続く、５Ｇの無線アクセス技術のひとつとして、非直交多元接続が注目されている。
【００２０】
ＬＴＥで採用されているＯＦＤＭＡ（Orthogonal  Frequency  Division  Multiple  Access）又はＳＣ−ＦＤＭＡ（Single−Carrier  ＦＤＭＡ）においては、セル内のユーザ端末同士では重複しないよう無線リソースが割り当てられる。なお、無線リソースとは、無線通信のための周波数又は時間のリソースであり、リソースブロック、サブフレーム、リソースエレメント等の多様な種類がある。このような、無線リソースが重複しないよう割り当てられる無線アクセス技術は、直交多元接続とも称される。
【００２１】
ここで、図１に、直交多元接続における無線リソースの割り当ての一例を示した。図１では、横軸が周波数を示し、ユーザに割り当てられた無線リソースがユーザごとに異なる色で示されている。図１に示すように、直交多元接続では、ユーザに例えば周波数方向で異なるリソースブロック（ＲＢ：Resource  Block）が割り当てられ得る。
【００２２】
これに対し、非直交多元接続では、セル内のユーザ端末同士に、少なくとも一部が重複する無線リソースが割り当てられる。非直交多元接続が採用される場合、無線空間においては、セル内のユーザ端末が送受信する信号が互いに干渉し得る。しかし、受信側は、所定の復号処理により、ユーザごとの情報を取得することが可能である。そして、非直交多元接続は、適切な無線リソースの割り当てが実施された場合、直交多元接続よりも高い通信容量（又はセル通信容量）を達成できることが理論的に知られている。
【００２３】
ここで、図２に、非直交多元接続における無線リソースの割り当ての一例を示した。図２では、横軸が周波数を示し、ユーザに割り当てられた無線リソースがユーザごとに異なる色で示されている。図２に示すように、非直交多元接続では、ユーザに例えば周波数方向で重複するリソースブロックが割り当てられ得る。
【００２４】
非直交多元接続に分類される無線アクセス技術の一つとして、ＩＤＭＡが挙げられる。ＩＤＭＡでは、ユーザ信号を識別するために、送信側装置が送信信号に対して実施するインタリーブ処理に用いるインタリーブパターンを、ユーザごとに相違させて割り当てる。そして、受信側装置は、各ユーザに割り当てられたインタリーブパターンに対応するデインタリーブパターンを用いることで、ユーザ信号を分離して復号する。ＩＤＭＡの利点として、送信側装置の信号処理の負荷が軽いということが挙げられる。この利点は、特にユーザ端末から基地局への上りリンク（ＵＬ：Uplink）においてより重視される。
【００２５】
ここで、図３に、ＩＤＭＡを用いた無線通信を行う送信局１０の基本的な構成例を示した。図３に示すように、送信局１０は、誤り訂正符号化回路１１、インタリーバ（πｉ）１２、デジタル変調回路１３、及びＲＦ（Radio  Frequency）回路１４を有する。誤り訂正符号化回路１１は、ユーザｉの情報ビット列を、誤り適正符号化する。インタリーバ（πｉ）１２は、ユーザｉ向けのインタリーバ設定がなされたインタリーバであり、誤り訂正符号化された情報ビット列にインタリーブ処理を行う。デジタル変調回路１３は、インタリーブ処理を経た情報ビット列をデジタル変調する。ＲＦ回路１４は、デジタル変調後の信号に各種信号処理を行って、アンテナを介して無線信号を送信する。なお、インタリーバ設定とは、インタリーバタイプ又はインタリーブパターンの少なくともいずれかに関する設定である。
【００２６】
また、図４に、ＩＤＭＡを用いた無線通信を行う受信局２０の基本的な構成例を示した。図４に示すように、受信局２０は、ＲＦ回路２１、信号分離回路２２、及び復号化回路２３を含む。ＲＦ回路２１は、アンテナにより受信された無線信号に各種信号処理を行って、信号分離回路２２へ出力する。信号分離回路２２は、各ユーザからの信号が合成された状態の合成信号を、ユーザごとの信号に分離する機能を有し、分離した各ユーザ信号を、対応する復号化回路２３に出力する。例えば、復号化回路２３ｉは、ユーザｉ向けのデインタリーバ設定がなされたデインタリーバ（πｉ−１）２４、誤り訂正復号化回路２５、及びユーザｉ向けのインタリーバ設定がなされインタリーバ（πｉ）２６を含む。復号化回路２３ｉは、ユーザｉからのユーザ信号が入力され、デインタリーバ（πｉ−１）２４によるデインタリーブ処理、及び誤り訂正復号化回路２５による復号化を行う。復号化回路２３ｉは、正しく復号できた場合はユーザｉの情報ビット列として出力する。また、復号化回路２３ｉは、復号した信号にインタリーバ（πｉ）２６によるインタリーブ処理を行って、ユーザｉ向けのユーザ信号として信号分離回路２２に返却する。このようなユーザ信号の返却は、全ユーザ信号について行われる。信号分離回路２２は、返却されたユーザ信号を用いて再度信号分離を行って、分離後のユーザ信号を再度復号化回路２３へ出力する。受信局２０は、信号分離回路２２及び復号化回路２３における信号処理を繰り返すことで、ユーザ信号を復号する。このような多重信号からのユーザ信号の復号を、以下ではマルチユーザディテクション（Multi  user  detection）とも称する。
【００２７】
ＩＤＭＡでは、受信側でマルチユーザディテクションを行うために、送信側で生成したインタリーブパターンを受信側が効率的に再生成する仕組みが提供されることが望ましい。特に、受信側で必要なメモリ量及び、送信側と受信側との間でやりとりされるシグナリング量が少ない仕組みが提供されることが望ましい。
【００２８】
［１−２．インタリーバタイプ］
ＩＤＭＡでは、様々なインタリーバタイプが存在している。インタリーバタイプとは、インタリーバの種類を意味し、インタリーバが用いるインタリーブパターンのポリシーである。同一のインタリーバタイプのインタリーブパターン間では相関特性が保たれる。一方で、異なるインタリーバタイプのインタリーブパターン間では相関特性が未知である。このため、干渉が生じ得るユーザ同士では、同一のインタリーバタイプの異なるインタリーブパターンを割り当てられることが望ましい。
【００２９】
インタリーバタイプを規定する主なパラメータは下記の通りである。再現性とは、例えば受信側で、送信側が利用したインタリーバを再現する際の困難性を意味する。
・インタリーバ特性
−相関特性
−インタリーバ数
・再現性
−Computational  complexity
−Consumption  of  memory
−Signaling  overhead
【００３０】
下記の表１に、論文等で検討されている主要なインタリーバタイプの一覧を示す。
【００３１】
【表１】
0006547757.tif 000002
【００３２】
上記表１に示すように、インタリーバタイプごとに、特性及び再現性がそれぞれ異なる。なお、上記表１では、再現性は、複雑性、メモリ及び帯域として示されている。
【００３３】
［１−３．無線通信システムの概要］
図５は、本開示の一実施形態に係る無線通信システムの概要を説明するための説明図である。図５に示すように、本実施形態に係る無線通信システム１は、基地局１００、端末装置２００、通信制御装置３００、及びコアネットワーク５００を含む。
【００３４】
基地局１００は、セル４００の内部に位置する１つ以上の端末装置２００へ無線通信サービスを提供し、端末装置２００との間でデータの送受信を行う無線通信装置である。例えば、基地局１００は、セルラーシステムにおけるｅＮＢ（evolutional  Node  B）又はアクセスポイントである。基地局１００は、コアネットワーク５００に接続される。コアネットワーク５００は、ゲートウェイ装置を介してパケットデータネットワーク（ＰＤＮ）に接続される。セル４００は、例えば、ＬＴＥ（Long  Term  Evolution）、ＬＴＥ−Ａ（LTE-Advanced）、ＧＳＭ（登録商標）、ＵＭＴＳ、Ｗ−ＣＤＭＡ、ＣＤＭＡ２０００、ＷｉＭＡＸ、ＷｉＭＡＸ２又はＩＥＥＥ８０２．１６などの任意の無線通信方式に従って運用されてよい。
【００３５】
端末装置２００は、基地局１００による無線通信サービスの提供を受け、基地局１００との間でデータの送受信を行う無線通信装置である。例えば、端末装置２００は、セルラーシステムにおけるユーザ端末（ＵＥ：User  Equipment）である。
【００３６】
通信制御装置３００は、基地局１００及び端末装置２００による無線通信を協調的に制御する装置である。図５に示した例では、通信制御装置３００はサーバである。なお、図５に示した例以外にも、例えば通信制御装置３００は、マクロセル、スモールセルクラスタ、スモールセルのいずれかに実装される機能であってもよく、コアネットワーク５００内の任意の装置（物理装置又は論理装置）として実現されてもよい。
【００３７】
ＩＤＭＡにおいて行わるインタリーブの目的は、ユーザ間の干渉をランダマイズすることにある。送信側で選択されるインタリーブパターンは、他ユーザとの相関特性をより無相関に近づけるものであることが望ましい。しかし、アップリンク通信においては、端末装置２００が利用するインタリーブパターンを単独で選択する場合、端末装置２００間で相関特性を良好に（無相関に）保つことは困難になり得る。例えば、各端末装置２００が互いに相関が高いインタリーブパターンを選択した場合は干渉が発生し得るため、受信側である基地局１００において各端末装置２００からの信号を復号することが困難になり得る。このような干渉は、端末装置２００がセル境界に位置する場合に顕著に生じ得る。
【００３８】
図６は、アップリンク通信におけるセル間干渉の一例を説明するための説明図である。図６に示す例では、基地局１００Ａは端末装置２００Ａとの通信を行い、基地局１００Ｂは端末装置２００Ｂとの通信を行う。端末装置２００Ａ及び２００Ｂは、共にセル４００Ａ及び４００Ｂのセル端に位置している。このような位置関係では、例えば端末装置２００Ｂが基地局１００Ｂへ送信するアップリンクトラフィックは、端末装置２００Ａが基地局１００Ａへ送信するアップリンクトラフィックとの間で干渉を起こし得る。もちろん、このような干渉はダウンリンク通信においても同様に生じ得る。ＩＤＭＡ通信においては、このようなセル間干渉を低減させる仕組みが提供されることが望ましい。そこで、本実施形態では、通信制御装置３００が、各端末装置２００が利用するインタリーブパターンの割り当てを行うことで、このような干渉を回避する。
【００３９】
他方、５Ｇでは、Ｍｕｌｔｉｐｌｅ  ＲＡＴ（Radio  Access  Technology）及びＭｕｌｔｉｐｌｅ  ｌａｙｅｒ  ｎｅｔｗｏｒｋが検討されており、様々な無線アクセス技術やアーキテクチャが共存する可能性がある。このようなネットワークにおいては、高い柔軟性が実現されることが望ましい。ここで、ＩＤＭＡ通信においては、上記表１に示したように、多様なタイプのインタリーバが存在する。５Ｇで求められる高い柔軟性を実現するためには、多様なタイプのインタリーバを利用可能な仕組みが提供されることが望ましい。そこで、本実施形態では、通信制御装置３００は、各端末装置２００が利用するインタリーバタイプの割り当てを行うことで、高い柔軟性を実現する。なお、以下では、通信制御装置３００が、端末装置２００が利用するインタリーバタイプ又はインタリーブパターンの少なくともいずれかの割り当てることを、インタリーバを割り当てるとも称する。
【００４０】
＜２．構成例＞
続いて、図７〜図１０を参照して、本実施形態に係る基地局１００、端末装置２００、及び通信制御装置３００の構成例について説明する。
【００４１】
［２−１．基地局の構成例］
図７は、本実施形態に係る基地局１００の論理的な構成の一例を示すブロック図である。図７に示すように、基地局１００は、無線通信部１１０、通信部１２０、記憶部１３０、及び制御部１４０を有する。
【００４２】
（１）無線通信部１１０
無線通信部１１０は、基地局１００による他の装置との通信を仲介する通信インタフェースである。本実施形態に係る無線通信部１１０は、端末装置２００との間でＩＤＭＡを用いて無線通信を行う機能を有する。無線通信部１１０は、端末装置２００との間で制御情報の送受信を行ってもよい。例えば、基地局１００は、通信制御装置３００により割り当てられたインタリーバを示す情報を端末装置２００へ送信する。後述するように、アップリンク通信において、送信側である端末装置２００がインタリーブパターンを選択する（割り当てる）場合がある。その場合、無線通信部１１０は、端末装置２００が利用するインタリーブパターンを示す情報を端末装置２００から受信する。
【００４３】
（２）通信部１２０
通信部１２０は、基地局１００による他の装置との通信を仲介する通信インタフェースである。本実施形態に係る通信部１２０は、有線又は無線により通信制御装置３００との間でデータの送受信を行う。例えば、通信部１２０は、通信制御装置３００がインタリーバの割り当て処理のために要する情報を通信制御装置３００へ送信したり、割り当てられたインタリーバを示す情報を受信したりする。
【００４４】
（３）記憶部１３０
記憶部１３０は、各種情報を記憶する機能を有する。例えば、記憶部１３０は、通信制御装置３００により割り当てられたインタリーバを示す情報を記憶する。
【００４５】
（４）制御部１４０
制御部１４０は、演算処理装置および制御装置として機能し、各種プログラムに従って基地局１００内の動作全般を制御する。
【００４６】
・アップリンク通信
例えば、制御部１４０は、アップリンク通信における無線通信部１１０による受信処理を制御する機能を有する。
【００４７】
例えば、制御部１４０は、送信側である端末装置２００に割り当てられたインタリーバに応じたマルチユーザディテクションを行い、端末装置２００により送信されたユーザ信号を復号するよう無線通信部１１０を制御する。なお、端末装置２００に割り当てられたインタリーバタイプを示す情報は、通信制御装置３００から通知される。端末装置２００に割り当てられたインタリーブパターンを示す情報は、通信制御装置３００が割り当てを行った場合は通信制御装置３００から、端末装置２００が割り当てを行った場合は端末装置２００から通知される。制御部１４０は、ユーザ信号の復号が成功したか失敗したかに応じて、ＡＣＫ信号（肯定応答）又はＮＡＣＫ信号（否定応答）を送信側である端末装置２００へ通知するよう無線通信部１１０を制御する。
【００４８】
・ダウンリンク通信
例えば、制御部１４０は、ダウンリンク通信における無線通信部１１０による送信処理を制御する機能を有する。本機能に関する説明は、後述するアップリンク通信における端末装置２００に関する説明と同様であるため、ここでの詳しい説明は省略する。
【００４９】
以上、本実施形態に係る基地局１００の構成例について説明した。
【００５０】
［２−２．端末装置の構成例］
図８は、本実施形態に係る端末装置２００の論理的な構成の一例を示すブロック図である。図８に示すように、端末装置２００は、無線通信部２１０、記憶部２２０、及び制御部２３０を有する。
【００５１】
（１）無線通信部２１０
無線通信部２１０は、端末装置２００による他の装置との通信を仲介する通信インタフェースである。本実施形態に係る無線通信部２１０は、基地局１００との間でＩＤＭＡを用いて無線通信を行う機能を有する。無線通信部２１０は、基地局１００との間で制御情報の送受信を行ってもよい。例えば、無線通信部２１０は、インタリーバの割り当てを要求するメッセージを基地局１００へ送信する。以下では、このメッセージをＩＤＭＡリクエストとも称する。ＩＤＭＡリクエストは、インタリーバタイプの割り当てを要求するメッセージであってもよいし、インタリーバタイプ及びインタリーブパターンの割り当てを要求するメッセージであってもよい。ＩＤＭＡリクエストは、基地局１００により通信制御装置３００へ転送される。そして、無線通信部２１０は、通信制御装置３００により割り当てられたインタリーバを示す情報を基地局１００から受信する。以下では、通信制御装置３００により割り当てられたインタリーバを示す情報を含むメッセージを、ＩＤＭＡレスポンスとも称する。ＩＤＭＡレスポンスには、割り当てられたインタリーバタイプを示す情報、又は割り当てられたインタリーバタイプ及びインタリーブパターンを示す情報が含まれる。端末装置２００がインタリーブパターンを選択する場合、無線通信部２１０は、端末装置２００が利用するインタリーブパターンを示す情報を基地局１００へ送信する。
【００５２】
（２）記憶部２２０
記憶部２２０は、各種情報を記憶する機能を有する。例えば、記憶部２２０は、通信制御装置３００により割り当てられたインタリーバを示す情報を記憶する。
【００５３】
（３）制御部２３０
制御部２３０は、演算処理装置および制御装置として機能し、各種プログラムに従って端末装置２００内の動作全般を制御する。
【００５４】
・アップリンク通信
例えば、制御部２３０は、アップリンク通信における無線通信部２１０による送信処理を制御する機能を有する。
【００５５】
例えば、制御部２３０は、複数の通信方式の中から最適な通信方式を選択する機能を有する。具体的には、制御部２３０は、ＩＤＭＡを用いた信号送信を行うか否かを判定する機能を有する。制御部２３０は、送信データのパケットサイズ、アップリンクチャネル品質、ＭＣＳ（modulation  and  coding  scheme）インデックス等に基づいて、ＩＤＭＡを用いた信号送信を行うか否かを判定し得る。なお、制御部２３０は、ＯＦＤＭ−ＩＤＭＡのような複合型のマルチプルアクセス通信を選択してもよい。ＩＤＭＡを用いて信号送信を行うと判定した場合、制御部２３０は、ＩＤＭＡリクエストを基地局１００へ送信するよう無線通信部２１０を制御する。アップリンク通信においては、端末装置２００は、スケジューリングリクエストを含むＵＣＩ（Uplink  Control  Information）を基地局１００へ送信する。同様に、端末装置２００は、ＩＤＭＡリクエストを含むＵＣＩを基地局１００へ送信してもよい。なお、端末装置２００がＩＤＭＡを用いた信号送信を行うか否かの判定は、通信制御装置３００により行われてもよい。その場合、制御部２３０は、送信データのパケットサイズ、アップリンクチャネル品質、ＭＣＳインデックス等の情報を、基地局１００を介して通信制御装置３００へ送信するよう無線通信部２１０を制御する。
【００５６】
例えば、制御部２３０は、通信制御装置３００により割り当てられたインタリーバを用いたインタリーブ処理を制御する。具体的には、制御部２３０は、通信制御装置３００により割り当てられたインタリーバタイプのインタリーバを利用して、ＩＤＭＡのためのインタリーブ処理を行うよう無線通信部２１０を制御する。さらに、制御部２３０は、通信制御装置３００により割り当てられたインタリーブパターンを利用して、ＩＤＭＡのためのインタリーブ処理を行うよう無線通信部２１０を制御してもよい。
【００５７】
また、制御部２３０は、通信制御装置３００による割り当てではなく、無線通信部２１０によるインタリーブ処理に利用するインタリーブパターンを自身で選択してもよい。制御部２３０は、通信制御装置３００と同様の方法でインタリーブパターンを選択（割り当て）し得る。インタリーブパターンの割り当て方法については、通信制御装置３００に関する説明として後述するので、ここでの詳しい説明は省略する。
【００５８】
インタリーブパターンを制御部２３０が選択する場合、制御部２３０は、選択したインタリーブパターンを示す情報を含むメッセージを、受信側である基地局１００へ送信するよう無線通信部２１０を制御する。このメッセージは、ＵＣＩに含まれてもよい。これにより、受信側である基地局１００は、送信側で用いられたインタリーブパターンを知ることが可能となり、マルチユーザディテクションを行うことが可能となる。
【００５９】
・ダウンリンク通信
例えば、制御部２３０は、ダウンリンク通信における無線通信部２１０による受信処理を制御する機能を有する。本機能に関する説明は、アップリンク通信における基地局１００に関する説明と同様であるため、ここでの詳しい説明は省略する。
【００６０】
以上、本実施形態に係る端末装置２００の構成例について説明した。
【００６１】
［２−３．通信制御装置の構成例］
図９は、本実施形態に係る通信制御装置３００の論理的な構成の一例を示すブロック図である。図９に示すように、通信制御装置３００は、通信部３１０、記憶部３２０、及び制御部３３０を有する。
【００６２】
（１）通信部３１０
通信部３１０は、通信制御装置３００による他の装置との通信を仲介する通信インタフェースである。例えば、通信部３１０は、ＩＤＭＡを用いる無線通信システム１の無線通信装置と通信する。本実施形態に係る通信部３１０は、ＩＤＭＡを用いた送信又は受信を行う基地局１００又は端末装置２００との間で、直接的に又は間接的にデータの送受信を行う。
【００６３】
例えば、通信部３１０は、無線通信装置（基地局１００又は端末装置２００）からＩＤＭＡリクエストを受信する。このＩＤＭＡリクエストの受信をトリガとして、制御部３３０によりインタリーバの割り当てが行われる。通信部３１０は、割り当て処理のために要する情報を受信してもよい。
【００６４】
例えば、通信部３１０は、制御部３３０により割り当てられたインタリーバタイプを示す情報を含むメッセージを、無線通信装置へ送信する。また、通信部３１０は、制御部３３０により割り当てられたインタリーブパターンを示す情報を含むメッセージを、無線通信装置へ送信する。これらの情報は、ひとつのメッセージとして送信されてもよいし、別箇に送信されてもよく、本明細書では、いずれのメッセージもＩＤＭＡレスポンスとも称する。ＩＤＭＡレスポンスは、基地局１００から端末装置２００へ送信される際、例えばＳＩＢ（System  Information  Block）又はＤＣＩ（Downlink  Control  Information）を用いて送信されてもよい。より具体的には、ＩＤＭＡレスポンスは、ＰＤＣＣＨ（Physical  Downlink  Control  Channel）又はＰＢＣＨ（Physical  Broadcast  Channel）を用いて送信されてもよい。
【００６５】
なお、通信制御装置３００は、基地局１００又は端末装置２００と同一であってもよいし、独立していてもよい。ここでの同一／独立とは、物理的な意味での同一／独立の他に、論理的な意味での同一／独立も含まれる。通信部３１０は、独立した装置については有線又は無線の通信回路を介して送受信し、同一の装置へは装置内部で送受信する。
【００６６】
（２）記憶部３２０
記憶部３２０は、各種情報を記憶する機能を有する。例えば、記憶部３２０は、各基地局１００又は端末装置２００に割り当てたインタリーバを示す情報を記憶する。
【００６７】
（３）制御部３３０
制御部３３０は、演算処理装置および制御装置として機能し、各種プログラムに従って通信制御装置３００内の動作全般を制御する。
【００６８】
例えば、制御部３３０は、無線通信システム１におけるＩＤＭＡを用いた無線通信を協調的に制御する機能を有する。具体的には、制御部３３０は、ＩＤＭＡリクエストの送信源であり、データ送信側である無線通信装置を対象として、インタリーバタイプの割り当てを行う。さらに、制御部３３０は、インタリーブパターンの割り当てを行ってもよい。通常、インタリーバタイプへの入力パラメータが変更されると、複数のインタリーブパターンが生成されるので、制御部３３０は、インタリーブパターンの生成に用いるパラメータを指定することで、インタリーブパターンの割り当てを行う。インタリーブパターンの割り当ては、データ送信側の無線通信装置により行われてもよい。なお、割り当て対象の無線通信装置は、アップリンク通信においてはデータ送信側となる端末装置２００であり、ダウンリンク通信においてはデータ送信側となる基地局１００である。以下、インタリーバタイプの割り当て、及びインタリーブパターンの割り当てについて具体的に説明する。
【００６９】
（インタリーバタイプの割り当て）
例えば、制御部３３０は、割り当て対象の無線通信装置がＩＤＭＡのために利用するインタリーバのインタリーバタイプの割り当てを行う。制御部３３０によるインタリーバタイプの割り当て方法は多様に考えられる。以下では、その一例として、静的なインタリーバタイプの割り当て、及び動的なインタリーバタイプの割り当てについて説明する。
【００７０】
・静的なインタリーバタイプの割り当て（Semi−static  allocation）
例えば、制御部３３０は、無線通信装置に関する属性情報に基づいて、インタリーバタイプの割り当てを行う。属性情報の一例を以下に示す。
【００７１】
−ケイパビリティ
メモリ、計算の複雑性等
−通信タイプ
セルラー、Ｄ２Ｄ（Device  to  Device）、ＭＴＣ（Machine  Type  Communication）等
−展開タイプ（Deployment  type）
マクロセル、スモールセル、フェムトセル、ファントムセル、ＤＡＳ（Distributed  Antenna  System）等
【００７２】
制御部３３０は、基地局１００又は端末装置２００から上記に一例を示した属性情報を取得して、インタリーバタイプの割り当てのためのパラメータとして用いる。なお、通信タイプは、シグナリング情報量に依存し得る。
【００７３】
例えば、制御部３３０は、アップリンク通信において、端末装置２００のケイパビリティに応じて端末装置２００が利用するインタリーバタイプの割り当てを行う。これにより、制御部３３０は、例えばメモリ量が多く演算能力が高い端末装置２００に、特性が良いものの使用メモリ量又は計算複雑性が高いインタリーバタイプの割り当てを行うことが可能となる。
【００７４】
例えば、制御部３３０は、アップリンク通信において、端末装置２００の通信タイプに応じて端末装置２００が利用するインタリーバタイプの割り当てを行う。これにより、制御部３３０は、例えばＭＴＣのようなシグナリング情報量が少ないことが望ましい通信タイプでは、インタリーブパターンの生成のためのシグナリング量が少ないインタリーバタイプの割り当てを行うことが可能となる。
【００７５】
以上、静的なインタリーバタイプの割り当てについて説明した。続いて、動的なインタリーバタイプの割り当てについて説明する。
【００７６】
・動的なインタリーバタイプの割り当て（Dynamic  allocation）
例えば、制御部３３０は、無線通信装置に関する通信状態に基づいて、インタリーバタイプの割り当てを行う。通信状態の一例を以下に示す。
【００７７】
−多重ユーザ数（例えば、多重ＵＥ数）
−隣接セルのインタリーバ割り当て状況
−通信方式 
準静的、動的
−パケット再送か否か、再送方法
ＨＡＲＱ（Hybrid  Automatic  repeat−request）
−要求されるスループット
−要求されるＱｏＳ（Quality  of  Service）
【００７８】
制御部３３０は、基地局１００又は端末装置２００から上記に一例を示した通信状態を示す情報を取得して、インタリーバタイプの割り当てのためのパラメータとして用いる。
【００７９】
例えば、制御部３３０は、多重ＵＥ数に応じて、インタリーバタイプを動的に割り当てる、又は割り当てを変更する。これにより、制御部３３０は、例えば多重するＵＥ数が少ない場合に、相関特性が良くないものの、インタリーブパターンの生成が容易なインタリーバタイプの割り当てを行うことが可能となる。
【００８０】
例えば、制御部３３０は、隣接セルのインタリーバ割り当て状況にも基づいて、インタリーバタイプを動的に割り当てる、又は割り当てを変更する。これにより、制御部３３０は、例えばセル間干渉が少なくなるよう、隣接セルで用いられているインタリーバタイプに応じたインタリーバタイプの割り当てを行うことが可能となる。以下では、図１０を参照して、隣接セルのインタリーバ割り当て状況に応じたインタリーバタイプの割り当てについて説明する。
【００８１】
図１０は、本実施形態に係る動的なインタリーバタイプの割り当ての一例を説明するための説明図である。図１０に示す例では、基地局１００Ａ、１００Ｂ、及び１００Ｃが運用するセル４００Ａ、４００Ｂ、及び４００Ｃが、互いに隣接している。隣接セルのインタリーバ割り当て状況に応じたインタリーバタイプの割り当てを行う場合、制御部３３０は、まず管理エリアを設定する。管理エリアは、ひとつのセルの内部に設定されてもよいし、複数の隣接するセルを跨いで設定されてもよい。図１０に示す例では、制御部３３０は、セル４００Ａ、４００Ｂ、及び４００Ｃに跨って、管理エリア６００を設定する。そして、制御部３３０は、設定した管理エリア６００に属する無線通信装置には、同一のインタリーバタイプを優先的に割り当てる。これにより、隣接セル間で、同一のインタリーバタイプが割り当てられることとなる。同一のインタリーバタイプのインタリーブパターン間では相関特性が保たれるため、管理エリア６００内のセル間干渉を抑制することが可能となる。
【００８２】
以上、動的なインタリーバタイプの割り当てについて説明した。
【００８３】
（インタリーブパターンの割り当て）
制御部３３０は、割り当て対象の無線通信装置がＩＤＭＡのために利用するインタリーブパターンの割り当てを行ってもよい。例えば、制御部３３０は、上述した静的又は動的なインタリーバタイプの割り当てを行った後、割り当てたインタリーバタイプにおけるインタリーブパターンの割り当てを行う。制御部３３０は、例えば下記のパラメータを用いてインタリーブパターンの割り当てを行う。
【００８４】
・静的パラメータ
−セルＩＤ、バーチャルセルＩＤ、グローバルセルＩＤ、通信地点（Transmission  Point）ＩＤ
−ＲＮＴＩ（Radio  Network  Temporary  Identifier）
−オフセット（端末装置２００に特有)
−ＳＦＮ（System  Frame  Number）、サブフレームインデックス
・動的パラメータ
−データ長、コードブロック（Code  block）長、コードワード（Codeword）長
−使用リソース量（リソースブロック、リソースエレメント）
−ＭＣＳインデックス、ＣＱＩインデックス、ＰＭＩ（Precoding  Matrix  Indicator）、ＲＩ（Rank  Indicator）
−多重ユーザ数（例えば、多重ＵＥ数）
−初期マスタインタリーバ（Initial  master  interleaver）、共通インタリーバ（common  interleaver）
【００８５】
制御部３３０は、同一のインタリーバタイプを割り当てられた無線通信装置に、それぞれ異なるインタリーブパターンを割り当ててもよい。これにより、同一のインタリーバタイプを割り当てられた無線通信装置間で相関特性が保たれるため、干渉が回避される。
【００８６】
制御部３３０は、割り当てたインタリーブパターンを示す情報をＩＤＭＡレスポンスに格納して、割り当て対象の無線通信装置へ送信するよう通信部３１０を制御する。ＩＤＭＡレスポンスに格納されるインタリーブパターンを示す情報は、制御部３３０がインタリーブパターンの割り当てに用いたパラメータであってもよい。割り当て対象の無線通信装置は、ＩＤＭＡレスポンスに格納されたパラメータを用いて、割り当てられたインタリーブパターンを生成し、利用することが可能である。なお、インタリーブパターンは、送信側の無線通信装置だけでなく、受信側の無線通信装置で再現（生成）される。
【００８７】
インタリーブパターンの割り当てに用いられたパラメータが、既存のシグナリングされている制御情報等に含まれる場合、当該パラメータは、ＩＤＭＡレスポンスに含まれなくてもよい。その場合、例えば、端末装置２００は、ＩＤＭＡレスポンスに含まれるパラメータと、制御情報に含まれるパラメータとを組み合わせて、割り当てられたインタリーブパターンを生成することが可能である。インタリーブパターンの通知に係るシグナリング量が抑制されるので、無線通信システム１のオーバーヘッドが抑制される。既存のシグナリングされている制御情報等に含まれ得るパラメータとしては、例えばセルＩＤ、ＲＮＴＩ、ＳＦＮ、サブフレームインデックス等が挙げられる。
【００８８】
なお、このようなインタリーブパターンの通知に係るシグナリング量の抑制は、端末装置２００がインタリーブパターンを割り当てる場合においても同様に行われ得る。例えば、送信側である端末装置２００が、自身で割り当てたインタリーブパターンを示す情報を受信側である基地局１００へ通知する際、既存のシグナリングされている制御情報等に含まれるパラメータを、通知するパラメータから省略してもよい。その場合、例えば、基地局１００は、端末装置２００から受信したパラメータと、制御情報に含まれるパラメータとを組み合わせて、割り当てられたインタリーブパターンを生成することが可能である。
【００８９】
以上、インタリーブパターンの割り当てについて説明した。
【００９０】
他にも、無線通信装置側で、ＩＤＭＡを用いた信号送信を行うか否かの判定が行われていない場合、制御部３３０は、無線通信装置によるＩＤＭＡを用いた信号送信を許可するか否かを判定してもよい。例えば、制御部３３０は、無線通信装置が送信する送信データのパケットサイズ、アップリンクチャネル品質、ＭＣＳインデックス等に基づいて、ＩＤＭＡを用いた信号送信を許可するか否かを判定し得る。これらの情報は、ＩＤＭＡリクエストと共に又は別に、データ送信を行う無線通信装置から受信される。制御部３３０は、無線通信装置から取得するこれらの情報の他、例えば当該無線通信装置と同一セル内の他の端末装置２００の情報、又は隣接セルのＩＤＭＡ実施状況等にさらに基づいて判定してもよい。
【００９１】
以上、本実施形態に係る通信制御装置３００の構成例について説明した。
【００９２】
＜３．動作処理＞
続いて、図１１〜図１４を参照して、本実施形態に係る無線通信システム１の動作処理例について説明する。
【００９３】
［３−１．アップリンク通信］
図１１は、本実施形態に係る無線通信システム１において実行されるＩＤＭＡ通信処理の流れの一例を示すシーケンス図である。図１１に示すように、本シーケンスには端末装置２００、基地局１００、及び通信制御装置３００が関与する。
【００９４】
まず、ステップＳ１０２で、端末装置２００は、ＩＤＭＡ実施判定処理を行う。例えば、端末装置２００は、送信データのパケットサイズ、アップリンクチャネル品質、ＭＣＳインデックス等に基づいて、ＩＤＭＡを用いた信号送信を行うか否かを判定する。後述するステップＳ１０８においてＩＤＭＡ実施判定処理が行われる場合、本ステップは省略されてもよい。
【００９５】
次いで、ステップＳ１０４で、ＵＣＩ生成処理を行う。例えば、端末装置２００は、ＩＤＭＡリクエスト及びスケジューリングリクエストを含むＵＣＩを生成する。
【００９６】
次に、ステップＳ１０６で、端末装置２００は、スケジューリングリクエスト及びＩＤＭＡリクエストを、基地局１００へ送信する。具体的には、端末装置２００は、上記ステップＳ１０４において生成したＵＣＩを送信する。基地局１００は、受信したＩＤＭＡリクエストを通信制御装置３００へ中継する。
【００９７】
次いで、ステップＳ１０８で、通信制御装置３００は、ＩＤＭＡ実施判定処理を行う。例えば、通信制御装置３００は、端末装置２００が送信する送信データのパケットサイズ、アップリンクチャネル品質、ＭＣＳインデックス等に基づいて、ＩＤＭＡを用いた信号送信を許可するか否かを判定する。上記ステップＳ１０２においてＩＤＭＡ実施判定処理が行われる場合、本ステップは省略されてもよい。
【００９８】
そして、ステップＳ１１０で、通信制御装置３００は、インタリーバ割り当て処理を行う。インタリーバ割り当て処理については図１２及び図１３を参照して説明するため、ここでの詳細な説明は省略する。
【００９９】
次に、ステップＳ１１２で、通信制御装置３００は、ＩＤＭＡレスポンスを基地局１００へ送信する。例えば、通信制御装置３００は、上記ステップＳ１１０における割り当て結果を示す情報を格納したＩＤＭＡレスポンスを送信する。
【０１００】
次いで、ステップＳ１１４で、基地局１００は、スケジューリング処理を行う。例えば、基地局１００は、上記ステップＳ１０６において受信したスケジューリングリクエストに応じてスケジューリングを行う。
【０１０１】
次に、ステップＳ１１６で、基地局１００は、スケジューリング情報及びＩＤＭＡレスポンスを端末装置２００へ送信する。例えば、基地局１００は、上記ステップＳ１１４におけるスケジューリング結果を示すスケジューリング情報（Scheduling  grant）を、ＰＤＣＣＨを用いて送信する。このスケジューリング情報には、例えばデータ送信に利用すべきＲＢの位置、変調方式、データサイズ、送信電力制御用のコマンド等の情報が含まれる。また、基地局１００は、上記ステップＳ１１２において受信したＩＤＭＡレスポンスを、ＰＤＣＣＨ又はＰＢＣＨを用いて送信する。
【０１０２】
ＰＤＣＣＨを用いる場合、基地局１００は、インタリーバタイプを示す情報に加え、インタリーブパターンの生成に用いるパラメータを、直接的に端末装置２００へ通知し得る。一方で、ＰＢＣＨを用いる場合、基地局１００は、例えばインタリーバタイプの割り当てに使用するパラメータと割り当てるインタリーバタイプとを紐付ける情報を、セル内の全端末装置２００へ通知する。端末装置２００は、通知された情報において、自身の属性情報又は通信状に紐付けられたインタリーバタイプを利用する。この場合、端末装置２００は、インタリーブパターンを自身で割り当ててもよい。
【０１０３】
そして、ステップＳ１１８で、端末装置２００は、ＩＤＭＡ信号生成処理を行う。例えば、端末装置２００は、上記ステップＳ１１６で受信したＩＤＭＡリクエストに格納された情報が示すインタリーバタイプ及びインタリーブパターンを用いて、ＩＤＭＡのためのインタリーブ処理を行った無線信号を生成する。この無線信号を、以下ではＩＤＭＡ信号とも称する。
【０１０４】
次いで、ステップＳ１２０で、端末装置２００は、上記ステップＳ１１８で生成したＩＤＭＡ信号を基地局１００へ送信する。インタリーブパターンを端末装置２００自身が割り当てる場合、端末装置２００は、割り当てたインタリーブパターンを示す情報を含むメッセージを、例えばＵＣＩに含めて基地局１００へ送信する。
【０１０５】
次に、ステップＳ１２２で、基地局１００は、マルチユーザディテクションを行う。例えば、基地局１００は、上記ステップＳ１１２で受信したＩＤＭＡリクエストに格納された情報が示すインタリーバタイプ及びインタリーブパターンを用いた信号分離を行うことで、端末装置２００により送信されたＩＤＭＡ信号を復号する。なお、インタリーブパターンが端末装置２００により割り当てられる場合、基地局１００は、端末装置２００から受信したメッセージに格納された情報が示すインタリーブパターンを用いて信号分離を行う。
【０１０６】
次いで、ステップＳ１２４で、基地局１００は、ＩＤＭＡ信号の復号が成功したか失敗したかに応じて、ＡＣＫ信号又はＮＡＣＫ信号を端末装置２００へ送信する。
【０１０７】
以上、アップリンク通信に係るＩＤＭＡ通信処理の流れの一例を説明した。続いて、図１２及び図１３を参照して、上記ステップＳ１１０における処理の詳細について説明する。
【０１０８】
（インタリーバ割り当て処理例１）
図１２は、本実施形態に係る通信制御装置３００において実行されるインタリーバ割り当て処理の流れの一例を示すフローチャートである。本フローでは、インタリーバタイプの割り当て方法として、静的なインタリーバタイプの割り当てが採用される。
【０１０９】
図１２に示すように、まず、ステップＳ２０２で、通信制御装置３００の制御部３３０は、インタリーバタイプの割り当てに用いるパラメータを収集する。例えば、制御部３３０は、端末装置２００のケイパビリティ、通信タイプ、又は展開タイプ等の属性情報を収集する。
【０１１０】
次いで、ステップＳ２０４で、制御部３３０は、インタリーバタイプの割り当てを行う。例えば、制御部３３０は、例えばメモリ量が多く演算能力が高い端末装置２００に、特性が良いものの使用メモリ量又は計算複雑性が高いインタリーバタイプの割り当てを行ってもよい。他にも、制御部３３０は、例えばＭＴＣのようなシグナリング情報量が少ないことが望ましい通信タイプでは、インタリーブパターンの生成のためのシグナリング量が少ないインタリーバタイプの割り当てを行ってもよい。
【０１１１】
次に、ステップＳ２０６で、制御部３３０は、インタリーブパターンの割り当てを実施するか否かを判定する。例えば、制御部３３０は、インタリーブパターンの割り当てを端末装置２００が行う場合には実施しないと判定し、その他では実施すると判定する。
【０１１２】
インタリーブパターンの割り当てを実施すると判定された場合（Ｓ２０６／ＹＥＳ）、ステップＳ２０８で、制御部３３０は、インタリーブパターンの割り当てを行う。例えば、制御部３３０は、インタリーブパターンの生成に用いるパラメータを指定する。
【０１１３】
次いで、ステップＳ２１０で、制御部３３０は、インタリーバタイプ及びインタリーブパターンを通知する。例えば、制御部３３０は、割り当てたインタリーバタイプ及びインタリーブパターンを示す情報を格納したＩＤＭＡレスポンスを、端末装置２００へ送信するよう通信部３１０を制御する。
【０１１４】
一方で、インタリーブパターンの割り当てを実施しないと判定された場合（Ｓ２０６／ＮＯ）、ステップＳ２１２で、制御部３３０は、インタリーバタイプを通知する。例えば、制御部３３０は、割り当てたインタリーバタイプを示す情報を格納したＩＤＭＡレスポンスを、端末装置２００へ送信するよう通信部３１０を制御する。
【０１１５】
（インタリーバ割り当て処理例２）
図１３は、本実施形態に係る通信制御装置３００において実行されるインタリーバ割り当て処理の流れの一例を示すフローチャートである。本フローでは、インタリーバタイプの割り当て方法として、動的なインタリーバタイプの割り当てが採用される。
【０１１６】
図１３に示すように、まず、ステップＳ３０２で、制御部３３０は、インタリーバ割り当て対象セル（セクタ）を選択する。
【０１１７】
次いで、ステップＳ３０４で、制御部３３０は、対象セル（セクタ）の隣接セル（セクタ）を特定する。
【０１１８】
次に、ステップＳ３０６で、制御部３３０は、管理エリアを設定する。例えば、制御部３３０は、対象セル及び隣接セルを含む領域を管理エリアとして設定する。
【０１１９】
次いで、ステップＳ３０８で、制御部３３０は、管理エリア内の隣接セルにおいて、ＩＤＭＡが実施されているか否かを判定する。
【０１２０】
ＩＤＭＡが実施されていると判定された場合（Ｓ３０８／ＹＥＳ）、ステップＳ３１０で、制御部３３０は、管理エリア内の隣接セルにおいて使用されているインタリーバタイプを特定する。
【０１２１】
次に、ステップＳ３１２で、制御部３３０は、管理エリア内の隣接セルで使用されているインタリーバタイプが、管理エリア内の対象セルで使用可能であるか否かを判定する。例えば、制御部３３０は、当該インタリーバタイプにおけるインタリーブパターンの余剰数に応じて、対象セルの端末装置２００に、隣接セルと同一のインタリーバタイプを割り当てた場合にインタリーブパターンを重複なく割り当て可能な場合に、使用可能であると判定する。他にも、制御部３３０は、例えば端末装置２００のケイパビリティ等に応じて判定してもよい。
【０１２２】
隣接セルで使用されているインタリーバタイプが管理エリア内の対象セルで使用可能であると判定された場合（Ｓ３１２／ＹＥＳ）、ステップＳ３１４で、制御部３３０は、隣接セルで使用されているインタリーバタイプを管理エリア内の対象セルに割り当てる。
【０１２３】
一方で、隣接セルで使用されているインタリーバタイプが管理エリア内の対象セルで使用可能でないと判定された場合（Ｓ３１２／ＮＯ）、ステップＳ３１６で、制御部３３０は、隣接セルとは異なるインタリーバタイプを管理エリア内の対象セルに割り当てる。
【０１２４】
また、隣接セルにおいてＩＤＭＡが実施されていないと判定された場合（Ｓ３０８／ＮＯ）、ステップＳ３１８で、制御部３３０は、任意のインタリーバタイプを管理エリア内の対象セルに割り当てる。
【０１２５】
そして、ステップＳ３２０で、制御部３３０は、インタリーブパターンを割り当てる。このとき、制御部３３０は、同一の管理エリアに属する同一のインタリーバタイプを割り当てられた無線通信装置に、それぞれ異なるインタリーブパターンを割り当てることができる。これにより、同一のインタリーバタイプを割り当てられた管理エリア内の無線通信装置間で相関特性が保たれる。よって、管理エリア内のセル間干渉を低減することが可能となる。
【０１２６】
［３−２．ダウンリンク通信］
図１４は、本実施形態に係る無線通信システム１において実行されるＩＤＭＡ通信処理の流れの一例を示すシーケンス図である。図１４に示すように、本シーケンスには端末装置２００、基地局１００、及び通信制御装置３００が関与する。なお、ダウンリンク通信は、スケジューリングリクエストの送受信がない点、及び割り当て対象の無線通信装置が基地局１００である点で、アップリンク通信と異なり、他はアップリンク通信と同様である。
【０１２７】
図１４に示すように、まず、ステップＳ４０２で、基地局１００は、ＩＤＭＡ実施判定処理を行う。後述するステップＳ４０６においてＩＤＭＡ実施判定処理が行われる場合、本ステップは省略されてもよい。
【０１２８】
次いで、ステップＳ４０４で、基地局１００は、ＩＤＭＡリクエストを通信制御装置３００へ送信する。
【０１２９】
次に、ステップＳ４０６で、通信制御装置３００は、ＩＤＭＡ実施判定処理を行う。上記ステップＳ４０２においてＩＤＭＡ実施判定処理が行われる場合、本ステップは省略されてもよい。
【０１３０】
次いで、ステップＳ４０８で、通信制御装置３００は、インタリーバ割り当て処理を行う。
【０１３１】
次に、ステップＳ４１０で、通信制御装置３００は、ＩＤＭＡレスポンスを基地局１００へ送信する。基地局１００は、受信したＩＤＭＡレスポンスを、端末装置２００へ中継する。端末装置２００におけるマルチユーザディテクションを可能にするためである。基地局１００がインタリーブパターンの割り当てを行う場合、基地局１００は、通信制御装置３００により割り当てられたインタリーバタイプを示す情報、及び自身で割り当てたインタリーブパターンを示す情報を、端末装置２００へ送信する。なお、端末装置２００への情報通知は、ステップＳ４１６において行われてもよい。
【０１３２】
次いで、ステップＳ４１２で、基地局１００は、スケジューリング処理を行う。
【０１３３】
そして、ステップＳ４１４で、基地局１００は、ＩＤＭＡ信号生成処理を行う。例えば、基地局１００は、上記ステップＳ４１０で受信したＩＤＭＡリクエストに格納された情報が示すインタリーバタイプ及びインタリーブパターンを用いて、ＩＤＭＡのためのインタリーブ処理を行ったＩＤＭＡ信号を生成する。
【０１３４】
次に、ステップＳ４１６で、基地局１００は、上記ステップＳ４１４で生成したＩＤＭＡ信号を端末装置２００へ送信する。
【０１３５】
そして、ステップＳ４１８で、端末装置２００は、マルチユーザディテクションを行い、基地局１００により送信されたＩＤＭＡ信号を復号する。
【０１３６】
次いで、ステップＳ４２０で、端末装置２００は、ＩＤＭＡ信号の復号が成功したか失敗したかに応じて、ＡＣＫ信号又はＮＡＣＫ信号を基地局１００へ送信する。
【０１３７】
以上、ダウンリンク通信に係るＩＤＭＡ通信処理の流れの一例を説明した。
【０１３８】
＜４．応用例＞
本開示に係る技術は、様々な製品へ応用可能である。例えば、通信制御装置３００は、タワーサーバ、ラックサーバ、又はブレードサーバなどのいずれかの種類のサーバとして実現されてもよい。また、通信制御装置３００は、サーバに搭載される制御モジュール（例えば、１つのダイで構成される集積回路モジュール、又はブレードサーバのスロットに挿入されるカード若しくはブレード）であってもよい。
【０１３９】
また、例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。
【０１４０】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【０１４１】
［４−１．通信制御装置に関する応用例］
図１５は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０１４２】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０１４３】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０１４４】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０１４５】
図１５に示したサーバ７００は、図９を参照して上記説明した通信制御装置３００として機能してもよい。例えば、通信部３１０、記憶部３２０、及び制御部３３０は、プロセッサ７０１において実装されてもよい。
【０１４６】
［４−２．基地局に関する応用例］
（第１の応用例）
図１６は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１４７】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１６に示したように複数のアンテナ８１０を有し、複数のアンテナ８１０は、例えばｅＮＢ８００が使用する複数の周波数帯域にそれぞれ対応してもよい。なお、図１６にはｅＮＢ８００が複数のアンテナ８１０を有する例を示したが、ｅＮＢ８００は単一のアンテナ８１０を有してもよい。
【０１４８】
基地局装置８２０は、コントローラ８２１、メモリ８２２、ネットワークインタフェース８２３及び無線通信インタフェース８２５を備える。
【０１４９】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１５０】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１５１】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１５２】
無線通信インタフェース８２５は、図１６に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１６に示したように複数のＲＦ回路８２７を含み、複数のＲＦ回路８２７は、例えば複数のアンテナ素子にそれぞれ対応してもよい。なお、図１６には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１５３】
（第２の応用例）
図１７は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１５４】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１７に示したように複数のアンテナ８４０を有し、複数のアンテナ８４０は、例えばｅＮＢ８３０が使用する複数の周波数帯域にそれぞれ対応してもよい。なお、図１７にはｅＮＢ８３０が複数のアンテナ８４０を有する例を示したが、ｅＮＢ８３０は単一のアンテナ８４０を有してもよい。
【０１５５】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１６を参照して説明したコントローラ８２１、メモリ８２２及びネットワークインタフェース８２３と同様のものである。
【０１５６】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１６を参照して説明したＢＢプロセッサ８２６と同様のものである。無線通信インタフェース８５５は、図１７に示したように複数のＢＢプロセッサ８５６を含み、複数のＢＢプロセッサ８５６は、例えばｅＮＢ８３０が使用する複数の周波数帯域にそれぞれ対応してもよい。なお、図１７には無線通信インタフェース８５５が複数のＢＢプロセッサ８５６を含む例を示したが、無線通信インタフェース８５５は単一のＢＢプロセッサ８５６を含んでもよい。
【０１５７】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１５８】
また、ＲＲＨ８６０は、接続インタフェース８６１及び無線通信インタフェース８６３を備える。
【０１５９】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１６０】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１７に示したように複数のＲＦ回路８６４を含み、複数のＲＦ回路８６４は、例えば複数のアンテナ素子にそれぞれ対応してもよい。なお、図１７には無線通信インタフェース８６３が複数のＲＦ回路８６４を含む例を示したが、無線通信インタフェース８６３は単一のＲＦ回路８６４を含んでもよい。
【０１６１】
図１６及び図１７に示したｅＮＢ８００及びｅＮＢ８３０は、図７を参照して上記説明した基地局１００として機能してもよい。例えば、無線通信部１１０、通信部１２０、記憶部１３０、及び制御部１４０は、無線通信インタフェース８２５並びに無線通信インタフェース８５５及び／又は無線通信インタフェース８６３において実装されてもよい。また、これら機能の少なくとも一部は、コントローラ８２１及びコントローラ８５１において実装されてもよい。
【０１６２】
［４−３．端末装置に関する応用例］
（第１の応用例）
図１８は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１６３】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１６４】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１６５】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１８に示したように複数のＢＢプロセッサ９１３及び複数のＲＦ回路９１４を含んでもよい。なお、図１８には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１６６】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１６７】
アンテナスイッチ９１５の各々は、無線通信インタフェース９１２に含まれる複数の回路（例えば、異なる無線通信方式のための回路）の間でアンテナ９１６の接続先を切り替える。
【０１６８】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１８に示したように複数のアンテナ９１６を有してもよい。なお、図１８にはスマートフォン９００が複数のアンテナ９１６を有する例を示したが、スマートフォン９００は単一のアンテナ９１６を有してもよい。
【０１６９】
さらに、スマートフォン９００は、無線通信方式ごとにアンテナ９１６を備えてもよい。その場合に、アンテナスイッチ９１５は、スマートフォン９００の構成から省略されてもよい。
【０１７０】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１８に示したスマートフォン９００の各ブロックへ電力を供給する。補助コントローラ９１９は、例えば、スリープモードにおいて、スマートフォン９００の必要最低限の機能を動作させる。
【０１７１】
図１８に示したスマートフォン９００は、図８を参照して上記説明した端末装置２００として機能してもよい。例えば、無線通信部２１０、記憶部２２０、及び制御部２３０は、無線通信インタフェース９１２において実装されてもよい。また、これら機能の少なくとも一部は、プロセッサ９０１又は補助コントローラ９１９において実装されてもよい。
【０１７２】
（第２の応用例）
図１９は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１７３】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１７４】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１７５】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１７６】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図１９に示したように複数のＢＢプロセッサ９３４及び複数のＲＦ回路９３５を含んでもよい。なお、図１９には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１７７】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１７８】
アンテナスイッチ９３６の各々は、無線通信インタフェース９３３に含まれる複数の回路（例えば、異なる無線通信方式のための回路）の間でアンテナ９３７の接続先を切り替える。
【０１７９】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図１９に示したように複数のアンテナ９３７を有してもよい。なお、図１９にはカーナビゲーション装置９２０が複数のアンテナ９３７を有する例を示したが、カーナビゲーション装置９２０は単一のアンテナ９３７を有してもよい。
【０１８０】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１８１】
バッテリー９３８は、図中に破線で部分的に示した給電ラインを介して、図１９に示したカーナビゲーション装置９２０の各ブロックへ電力を供給する。また、バッテリー９３８は、車両側から給電される電力を蓄積する。
【０１８２】
図１９に示したカーナビゲーション装置９２０は、図８を参照して上記説明した端末装置２００として機能してもよい。例えば、無線通信部２１０、記憶部２２０、及び制御部２３０は、無線通信インタフェース９３３において実装されてもよい。また、これら機能の少なくとも一部は、プロセッサ９２１において実装されてもよい。
【０１８３】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０１８４】
＜５．まとめ＞
以上、図１〜図１９を参照して、本開示の一実施形態について詳細に説明した。上記説明したように、本実施形態に係る通信制御装置３００は、ＩＤＭＡを用いる無線通信システム１の無線通信装置（基地局１００又は端末装置２００）が、ＩＤＭＡのために利用するインタリーバのインタリーバタイプの割り当てを行う。これにより、本実施形態に係る無線通信システム１では、多様なタイプのインタリーバを利用可能であるため、５Ｇで求められる高い柔軟性を実現することができる。
【０１８５】
また、通信制御装置３００は、インタリーバタイプの割り当て方法として、無線通信装置に関する属性情報に基づく静的な割り当て、又は無線通信装置の通信状態に基づく動的な割り当てのいずれかを採用してもよい。本実施形態に係る無線通信システム１では、多様な方法で割り当てられたインタリーバを利用可能であるため、５Ｇで求められる高い柔軟性を実現することができる。
【０１８６】
また、通信制御装置３００は、インタリーバタイプの割り当ての際に、管理エリアを設定し、設定した管理エリアに属する無線通信装置には同一のインタリーバタイプを優先的に割り当ててもよい。これにより、管理エリア内の無線通信装置には、同一のインタリーバタイプが割り当てられることとなる。同一のインタリーバタイプのインタリーブパターン間では相関特性が保たれるため、管理エリア内の無線通信装置間での干渉が抑制される。
【０１８７】
また、通信制御装置３００は、無線通信装置がＩＤＭＡのために利用するインタリーブパターンの割り当てを行ってもよい。アップリンク通信においては、端末装置２００が利用するインタリーブパターンを単独で選択する場合、端末装置２００間で相関特性を良好に（無相関に）保つことは困難になり得る。この点、通信制御装置３００が、各端末装置２００が利用するインタリーブパターンの割り当てを一元的に行うことで、このような干渉を回避することが可能となる。
【０１８８】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１８９】
なお、本明細書において説明した各装置による一連の処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体（非一時的な媒体：non-transitory  media）に予め格納される。そして、各プログラムは、例えば、コンピュータによる実行時にＲＡＭに読み込まれ、ＣＰＵなどのプロセッサにより実行される。
【０１９０】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０１９１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１９２】
なお、以下のような構成も本開示の技術的範囲に属する。
（１）
インタリーブ分割多元接続方式（ＩＤＭＡ：Interleave  Division  Multiple  Access）を用いる無線通信システムの無線通信装置と通信する通信部と、
前記無線通信装置がＩＤＭＡのために利用するインタリーバのインタリーバタイプの割り当てを行う制御部と、
を備える通信制御装置。
（２）
前記通信部は、前記制御部により割り当てられた前記インタリーバタイプを示す情報を含むメッセージを、前記無線通信装置へ送信する、前記（１）に記載の通信制御装置。
（３）
前記メッセージは、ＳＩＢ（System  Information  Block）又はＤＣＩ（Downlink  Control  Information）を用いて送信される、前記（２）に記載の通信制御装置。
（４）
前記制御部は、前記無線通信装置に関する属性情報に基づいて、前記インタリーバタイプの割り当てを行う、前記（１）〜（３）のいずれか一項に記載の通信制御装置。
（５）
前記制御部は、前記無線通信装置に関する通信状態に基づいて、前記インタリーバタイプの割り当てを行う、前記（１）〜（４）のいずれか一項に記載の通信制御装置。
（６）
前記制御部は、管理エリアを設定し、設定した前記管理エリアに属する前記無線通信装置には、同一の前記インタリーバタイプを優先的に割り当てる、前記（５）に記載の通信制御装置。
（７）
前記制御部は、前記無線通信装置がＩＤＭＡのために利用するインタリーブパターンの割り当てを行う、前記（１）〜（６）のいずれか一項に記載の通信制御装置。
（８）
前記制御部は、同一の前記インタリーバタイプを割り当てられた前記無線通信装置に、それぞれ異なる前記インタリーブパターンを割り当てる、前記（７）に記載の通信制御装置。
（９）
前記通信部は、前記制御部により割り当てられた前記インタリーブパターンを示す情報を含むメッセージを、前記無線通信装置へ送信する、前記（７）又は（８）に記載の通信制御装置。
（１０）
前記インタリーブパターンを示す情報は、前記制御部が前記インタリーブパターンの割り当てに用いたパラメータである、前記（９）に記載の通信制御装置。
（１１）
基地局との間でＩＤＭＡを用いて無線通信を行う無線通信部と、
割り当てられたインタリーバタイプのインタリーバを利用してＩＤＭＡのためのインタリーブ処理を行うよう前記無線通信部を制御する制御部と、
を備える無線通信装置。
（１２）
前記無線通信部は、前記インタリーバタイプの割り当てを要求するメッセージを前記基地局へ送信する、前記（１１）に記載の無線通信装置。
（１３）
前記制御部は、割り当てられたインタリーブパターンを利用してＩＤＭＡのためのインタリーブ処理を行うよう前記無線通信部を制御する、前記（１１）又は（１２）に記載の無線通信装置。
（１４）
前記制御部は、前記無線通信部によるインタリーブ処理に利用するインタリーブパターンを選択する、前記（１１）又は（１２）に記載の無線通信装置。
（１５）
前記制御部は、選択した前記インタリーブパターンを示す情報を含むメッセージを、前記基地局へ送信するよう前記無線通信部を制御する、前記（１４）に記載の無線通信装置。
（１６）
前記メッセージは、ＵＣＩ（Uplink  Control  Information）に含まれる、前記（１５）に記載の無線通信装置。
（１７）
インタリーブ分割多元接続方式を用いる無線通信システムの無線通信装置と通信することと、
前記無線通信装置がＩＤＭＡのために利用するインタリーバのインタリーバタイプの割り当てをプロセッサにより行うことと、
を含む通信制御方法。
（１８）
基地局との間でＩＤＭＡを用いて無線通信を行うことと、
割り当てられたインタリーバタイプのインタリーバを利用してＩＤＭＡのためのインタリーブ処理を行うようプロセッサにより制御することと、
を含む無線通信方法。
（１９）
コンピュータを、
インタリーブ分割多元接続方式を用いる無線通信システムの無線通信装置と通信する通信部と、
前記無線通信装置がＩＤＭＡのために利用するインタリーバのインタリーバタイプの割り当てを行う制御部と、
として機能させるためのプログラム。
（２０）
コンピュータを、
基地局との間でＩＤＭＡを用いて無線通信を行う無線通信部と、
割り当てられたインタリーバタイプのインタリーバを利用してＩＤＭＡのためのインタリーブ処理を行うよう前記無線通信部を制御する制御部と、
として機能させるためのプログラム。
【符号の説明】
【０１９３】
１    無線通信システム
１００  基地局
１１０    無線通信部
１２０    通信部
１３０    記憶部
１４０    制御部
２００  端末装置
２１０    無線通信部
２２０    記憶部
２３０    制御部
３００  通信制御装置
３１０    通信部
３２０    記憶部
３３０    制御部
４００  セル
５００  コアネットワーク
６００  管理エリア
【図１】
0006547757.tif 000003
【図２】
0006547757.tif 000004
【図３】
0006547757.tif 000005
【図４】
0006547757.tif 000006
【図５】
0006547757.tif 000007
【図６】
0006547757.tif 000008
【図７】
0006547757.tif 000009
【図８】
0006547757.tif 000010
【図９】
0006547757.tif 000011
【図１０】
0006547757.tif 000012
【図１１】
0006547757.tif 000013
【図１２】
0006547757.tif 000014
【図１３】
0006547757.tif 000015
【図１４】
0006547757.tif 000016
【図１５】
0006547757.tif 000017
【図１６】
0006547757.tif 000018
【図１７】
0006547757.tif 000019
【図１８】
0006547757.tif 000020
【図１９】
0006547757.tif 000021